(57)【要約】【課題】  精度よく試験が行えるＩＣテスタを実現することを目的にする。【解決手段】  本発明は、複数の基準電圧に基づいて、多階調電圧を出力する液晶駆動ドライバを試験するＩＣテスタに改良を加えたものである。本装置は、分圧により、複数の電圧を発生する分圧抵抗部と、この分圧抵抗部の電圧を選択し、液晶駆動ドライバの基準電圧を出力する複数のマルチプレクサとを備えたことを特徴とする装置である。【選択図】      図１
2005351632.tif 000002
【特許請求の範囲】
【請求項１】
複数の基準電圧に基づいて、多階調電圧を出力する液晶駆動ドライバを試験するＩＣテスタにおいて、
分圧により、複数の電圧を発生する分圧抵抗部と、
この分圧抵抗部の電圧を選択し、前記液晶駆動ドライバの基準電圧を出力する複数のマルチプレクサと
を備えたことを特徴とするＩＣテスタ。
【請求項２】
分圧抵抗部の電圧を基準として、電圧を発生するＤ／Ａコンバータと、
このＤ／Ａコンバータの出力とマルチプレクサの出力とを加算し、液晶駆動ドライバの基準電圧とする加算部と
を設けたことを特徴とする請求項１記載のＩＣテスタ。
【請求項３】
分圧抵抗部は、リファレンス電圧からグランド間を直列に接続された複数の抵抗からなることを特徴とする請求項１または２記載のＩＣテスタ。
【請求項４】
複数の基準電圧に基づいて、多階調電圧を出力する液晶駆動ドライバを試験するＩＣテスタにおいて、
少なくとも電圧バスを有するバックプレーンボードと、
このバックプレーンボードに取り外し可能で、複数の抵抗の分圧により、複数の電圧を発生し、複数の電圧を前記電圧バスに出力するリファレンス電圧ボードと、
前記バックプレーンボードに取り外し可能で、前記電圧バスの電圧を選択し、液晶駆動ドライバの基準電圧を出力する複数のマルチプレクサを搭載する複数の電圧発生ボードと
を設けたことを特徴とするＩＣテスタ。
【請求項５】
電圧発生ボードは、
リファレンス電圧ボードの電圧を基準として、電圧を発生するＤ／Ａコンバータと、
このＤ／Ａコンバータの出力とマルチプレクサの出力とを加算し、液晶駆動ドライバの基準電圧とする加算部と
を有することを特徴とする請求項４記載のＩＣテスタ。
【発明の詳細な説明】
【技術分野】
【０００１】
本発明は、複数の基準電圧に基づいて、多階調電圧を出力する液晶駆動ドライバを試験するＩＣテスタに関し、精度よく試験が行えるＩＣテスタに関するものである。
【背景技術】
【０００２】
液晶駆動ドライバは、複数の基準電圧に対して、複数ピンから多段階（多諧調）の比電圧を出力し、液晶ディスプレイの駆動を行っている。このような液晶駆動ドライバを試験するＩＣテスタは、例えば、特許文献１等に記載されている。以下図２を用いて説明する。
【０００３】
【特許文献１】特開平６−３４７１７号公報
【０００４】
図２において、電圧発生部Ｍは、液晶駆動ドライバ（以下ＤＵＴ）の基準電圧ピンのチャネルごとに設けられ、基準電圧を発生する。そして、電圧発生部Ｍは、Ｄ／Ａコンバータ１，２、バッファ３，４、加算部５、アンプ６から構成される。Ｄ／Ａコンバータ１は、制御バスＣＢに接続し、上位ビットを入力し、電圧Ｖ１を基準として、電圧を発生する。Ｄ／Ａコンバータ２は、制御バスＣＢに接続し、下位ビットを入力し、内部電圧Ｖ２を基準として、電圧を発生する。バッファ３は、Ｄ／Ａコンバータ１の出力を入力する。バッファ４は、Ｄ／Ａコンバータ２の出力を入力する。加算部５は、バッファ３，４の出力を加算する。アンプ６は、加算部５の出力を増幅して、ＤＵＴの基準電圧として出力する。
【０００５】
このような装置の動作を以下に説明する。図示しない制御部から制御バスＣＢを介して、電圧データがＤ／Ａコンバータ１，２に入力される。Ｄ／Ａコンバータ１は、上位ビットの電圧データの電圧を、バッファ３を介して、出力する。また、Ｄ／Ａコンバータ２は、下位ビットの電圧データの電圧を、バッファ４を介して、出力する。そして、加算部５が、バッファ３，４の出力を入力し、アンプ６で増幅して、ＤＵＴの基準電圧として、出力する。そして、ＤＵＴは、図示しないデジタル信号発生部からデジタル信号を入力し、基準電圧に基づいて、多階調電圧を出力し、この出力に基づいて、良否の判定が行なわれる。
【発明の開示】
【発明が解決しようとする課題】
【０００６】
液晶駆動ドライバの基準電圧は、近年の多階調化に伴い、例えば、１８レベルというように、多数レベルが必要である。しかし、Ｄ／Ａコンバータ１，２を用いているので、電圧発生部Ｍのチャンネル間で誤差が生じ、精度よく試験を行うことができないという問題点があった。
【０００７】
そこで、本発明の目的は、精度よく試験が行えるＩＣテスタを実現することにある。
【課題を解決するための手段】
【０００８】
このような課題を達成するために、本発明のうち請求項１記載の発明は、
複数の基準電圧に基づいて、多階調電圧を出力する液晶駆動ドライバを試験するＩＣテスタにおいて、
分圧により、複数の電圧を発生する分圧抵抗部と、
この分圧抵抗部の電圧を選択し、前記液晶駆動ドライバの基準電圧を出力する複数のマルチプレクサと
を備えたことを特徴とするものである。
請求項２記載の発明は、請求項１記載の発明において、
分圧抵抗部の電圧を基準として、電圧を発生するＤ／Ａコンバータと、
このＤ／Ａコンバータの出力とマルチプレクサの出力とを加算し、液晶駆動ドライバの基準電圧とする加算部と
を設けたことを特徴とするものである。
請求項３記載の発明は、請求項１または２記載の発明において、
分圧抵抗部は、リファレンス電圧からグランド間を直列に接続された複数の抵抗からなることを特徴とするものである。
請求項４記載の発明は、
複数の基準電圧に基づいて、多階調電圧を出力する液晶駆動ドライバを試験するＩＣテスタにおいて、
少なくとも電圧バスを有するバックプレーンボードと、
このバックプレーンボードに取り外し可能で、複数の抵抗の分圧により、複数の電圧を発生し、複数の電圧を前記電圧バスに出力するリファレンス電圧ボードと、
前記バックプレーンボードに取り外し可能で、前記電圧バスの電圧を選択し、液晶駆動ドライバの基準電圧を出力する複数のマルチプレクサを搭載する複数の電圧発生ボードと
を設けたことを特徴とするものである。
請求項５記載の発明は、請求項４記載の発明において、
電圧発生ボードは、
リファレンス電圧ボードの電圧を基準として、電圧を発生するＤ／Ａコンバータと、
このＤ／Ａコンバータの出力とマルチプレクサの出力とを加算し、液晶駆動ドライバの基準電圧とする加算部と
を有することを特徴とするものである。
【発明の効果】
【０００９】
本発明によれば以下のような効果がある。
請求項１〜３によれば、分圧抵抗部の分圧をマルチプレクサが選択し、液晶駆動ドライバの基準電圧とするので、液晶駆動ドライバのピン間の誤差を抑制できる。また、温度ドリフトによる影響は液晶駆動ドライバの基準電圧ピンのすべてに共通するので、電圧比を出力する液晶駆動ドライバにおいては、相対精度が問題となるので、無視することができる。すなわち、精度よく試験を行うことができる。
【００１０】
請求項２によれば、Ｄ／Ａコンバータが、分圧抵抗部の分圧を基準として、下位ビットの電圧データの電圧を出力し、加算部によりの出力と加算して、液晶駆動ドライバに出力するので、相対精度を維持しつつ、高分解能の出力を精度よく得ることができる。
【００１１】
請求項４，５によれば、リファレンス電圧ボードの分圧をマルチプレクサが選択し、液晶駆動ドライバの基準電圧とするので、液晶駆動ドライバのピン間の誤差を抑制できる。また、温度ドリフトによる影響は液晶駆動ドライバの基準電圧ピンのすべてに共通するので、電圧比を出力する液晶駆動ドライバにおいては、相対精度が問題となるので、無視することができる。すなわち、精度よく試験を行うことができる。
【００１２】
また、リファレンス電圧ボード、電圧発生ボードをバックプレーンボードで取り外し可能に構成したので、各ボードの取り替えを容易に行える。
【００１３】
請求項５によれば、Ｄ／Ａコンバータが、リファレンス電圧ボードの分圧を基準として、下位ビットの電圧データの電圧を出力し、加算部によりの出力と加算して、液晶駆動ドライバに出力するので、相対精度を維持しつつ、高分解能の出力を精度よく得ることができる。
【発明を実施するための最良の形態】
【００１４】
以下本発明を図面を用いて詳細に説明する。図１は本発明の一実施例を示した構成図である。ここで、図２と同一のものは同一符号を付し説明を省略する。
【００１５】
図１において、分圧抵抗部７は、分圧により、複数の電圧を発生し、抵抗Ｒ１〜Ｒ８からなる。抵抗Ｒ１〜Ｒ８は、リファレンス電圧ＶＲからグランド間を直列に接続され、リファレンス電圧とグランド間の電圧を分圧し、電圧バスＢが各接続点に接続される。マルチプレクサ８は、Ｄ／Ａコンバータ１の代わりに設けられ、制御バスＣＢに接続し、上位ビットを入力し、分圧抵抗部７の電圧を電圧バスＢを介して選択し、バッファ３に出力する。Ｄ／Ａコンバータ９は、制御バスＣＢに接続し、下位ビットを入力し、電圧バスＢを介して、分圧抵抗部７の電圧の１つ、抵抗Ｒ１，Ｒ２の接続点の電位を基準として、電圧をバッファ４に出力する。
【００１６】
そして、バックプレーンボードＢＰはプリント基板で、制御バスＣＢ、電圧バスＢが設けられ、制御バスＣＢを図示しない制御部に接続させる。リファレンス電圧ボードＲＢはプリント基板で、バックプレーンボードＢＰに取り外し可能に接続され、分圧抵抗部７を搭載する。複数の電圧発生ボードＶＢはプリント基板で、バックプレーンボードＢＰに取り外し可能に接続され、複数の電圧発生部Ｍを搭載する。
【００１７】
このような装置の動作を以下に説明する。図示しない制御部から制御バスＣＢを介して、電圧データがマルチプレクサ８、Ｄ／Ａコンバータ９に入力される。マルチプレクサ８は、上位ビットの電圧データにより、電圧バスＢを介して、分圧抵抗部６の分圧を選択し、バッファ３を介して、出力する。また、Ｄ／Ａコンバータ９は、下位ビットの電圧データの電圧を、バッファ４を介して、出力する。そして、加算部５が、バッファ３，４の出力を入力し、アンプ６で増幅して、ＤＵＴの基準電圧として、出力する。そして、ＤＵＴは、図示しないデジタル信号発生部からデジタル信号を入力し、基準電圧に基づいて、多階調電圧を出力し、この出力に基づいて、良否の判定が行なわれる。
【００１８】
このように、分圧抵抗部７の分圧をマルチプレクサ８が選択し、ＤＵＴの基準電圧とするので、ＤＵＴのピン間の誤差を抑制できる。また、温度ドリフトによる影響はＤＵＴの基準電圧ピンのすべてに共通するので、電圧比を出力するＤＵＴにおいては、相対精度が問題となるので、無視することができる。すなわち、精度よく試験を行うことができる。
【００１９】
また、下位ビットの電位を抵抗分圧により分配せずに、Ｄ／Ａコンバータ９により下位ビットの電位を出力する構成にしたので、下位電位の分配時の配線によるノイズ等の影響を受けることがない。これにより、Ｄ／Ａコンバータ９が、分圧抵抗部７の分圧を基準として、下位ビットの電圧データの電圧を出力し、加算部５によりアンプ３の出力と加算して、ＤＵＴに出力するので、相対精度を維持しつつ、高分解能の出力を精度よく得ることができる。
【００２０】
そして、リファレンス電圧ボードＲＢ、電圧発生ボードＶＢをバックプレーンボードＢＰで取り外し可能に構成したので、各ボードの取り替えを容易に行える。
【００２１】
なお、本発明はこれに限定されるものではなく、バッファ３，４を設けた構成を示したが、マルチプレクサ８、Ｄ／Ａコンバータ９が直接加算部５に出力する構成でもよい。
【００２２】
また、Ｄ／Ａコンバータ９は、抵抗Ｒ１，Ｒ２の接続点の電位を基準として、電圧を出力する構成を示したが、分圧抵抗部７の他の電位を用いてもよい。この場合、加算部５までに減衰を行う減衰器を設けたり、バッファ４の代わりに、減衰するアンプを設けたり、あるいは、加算部５で、Ｄ／Ａコンバータ９の出力を減衰して、加算する構成にしてもよい。
【００２３】
また、下位ビットのデータを出力するＤ／Ａコンバータ９の代わりに、分圧抵抗部７、マルチプレクサ８と同様に、１つの分圧抵抗部と複数のマルチプレクサを設ける構成でもよい。
【００２４】
また、加算部５、アンプ６は、抵抗とオペアンプからなる加算回路により構成してもよい。また、加算部５が、アンプ６を設けずに、増幅を行う構成にしてもよい。
【００２５】
また、Ｄ／Ａコンバータ９、バッファ４、加算部５、アンプ６を設けた構成を示したが、マルチプレクサ８、バッファ３により、ＤＵＴに基準電圧を出力する構成でもよい。
【図面の簡単な説明】
【００２６】
【図１】本発明の一実施例を示した構成図である。
【図２】従来のＩＣテスタの構成を示した図である。
【符号の説明】
【００２７】
５  加算部
６  アンプ
７  分圧抵抗部
８  マルチプレクサ
９  Ｄ／Ａコンバータ
Ｂ  電圧バス
ＢＰ  バックプレーン
ＲＢ  リファンレス電圧ボード
ＶＢ  電圧発生ボード
【図１】
2005351632.tif 000003
【図２】
2005351632.tif 000004